(57)【要約】【課題】本発明は、コモンモードフィルタに関し、より詳細には、広帯域のノイズ除去が可能なコモンモードフィルタに関する。【解決手段】本発明は、それぞれ１次コイルと２次コイルの磁気結合からなり互いに直列に連結された第１のフィルタと第２のフィルタを含み、上記第１のフィルタの共振周波数ｆ１と上記第２のフィルタの共振周波数ｆ２が異なるコモンモードフィルタを提供する。【選択図】図１
2016178278.tif 000002
【特許請求の範囲】
【請求項１】
互いに直列に連結された第１のフィルタと第２のフィルタを含み、前記第１のフィルタ及び前記第２のフィルタはそれぞれ１次コイルと２次コイルの磁気結合からなり、前記第１のフィルタの共振周波数ｆ１と前記第２のフィルタの共振周波数ｆ２は異なる、コモンモードフィルタ。
【請求項２】
前記第１のフィルタと前記第２のフィルタは水平方向に配置される、請求項１に記載のコモンモードフィルタ。
【請求項３】
前記第１のフィルタのインダクタンスＬ１と前記第２のフィルタのインダクタンスＬ２は異なる、請求項１または２に記載のコモンモードフィルタ。
【請求項４】
前記第１のフィルタのキャパシタンスＣ１と前記第２のフィルタのキャパシタンスＣ２は異なる、請求項１から３のいずれか１項に記載のコモンモードフィルタ。
【請求項５】
前記第１のフィルタのインダクタンスＬ１と前記第２のフィルタのインダクタンスＬ２は異なり、前記第１のフィルタのキャパシタンスＣ１と前記第２のフィルタのキャパシタンスＣ２は異なる、請求項１から４のいずれか１項に記載のコモンモードフィルタ。
【請求項６】
水平方向に配置され互いに直列に連結された第１のフィルタの１次コイルと第２のフィルタの１次コイルと、
水平方向に配置され互いに直列に連結され且つそれぞれ前記第１のフィルタの１次コイル及び前記第２のフィルタの１次コイルと対向して配置された第１のフィルタの２次コイルと第２のフィルタの２次コイルと、
を含み、
下記条件１と条件２のうち少なくとも一つを満たす、コモンモードフィルタ。
条件１：Ｌ１≠Ｌ２
条件２：Ｃ１≠Ｃ２
（Ｌ１は前記第１のフィルタのインダクタンス、Ｌ２は前記第２のフィルタのインダクタンス、Ｃ１は前記第１のフィルタのキャパシタンス、Ｃ２は前記第２のフィルタのキャパシタンス）
【請求項７】
前記第１のフィルタの１次コイル及び２次コイルのコイル巻数と前記第２のフィルタの１次コイル及び２次コイルのコイル巻数は異なる、請求項６に記載のコモンモードフィルタ。
【請求項８】
前記第１のフィルタの１次コイルと前記第１のフィルタの２次コイルとの間の間隔ｄ１は前記第２のフィルタの１次コイルと前記第２のフィルタの２次コイルとの間の間隔ｄ２と異なる、請求項６または７に記載のコモンモードフィルタ。
【請求項９】
前記第１のフィルタの１次コイル及び２次コイルのコイル巻数と前記第２のフィルタの１次コイル及び２次コイルのコイル巻数は異なり、前記第１のフィルタの１次コイルと前記第１のフィルタの２次コイルとの間の間隔ｄ１は前記第２のフィルタの１次コイルと前記第２のフィルタの２次コイルとの間の間隔ｄ２と異なる、請求項６から８のいずれか１項に記載のコモンモードフィルタ。
【請求項１０】
前記第１のフィルタの１次コイルの外側端部と連結された第１の入力端子と、前記第２のフィルタの１次コイルの外側端部と連結された第１の出力端子と、
前記第１のフィルタの２次コイルの外側端部と連結された第２の入力端子と、前記第２のフィルタの２次コイルの外側端部と連結された第２の出力端子と、
をさらに含む、請求項６から９のいずれか１項に記載のコモンモードフィルタ。
【請求項１１】
前記第１のフィルタの１次コイル及び前記第２のフィルタの１次コイルと異なる層に形成され、一端部がビアを介して前記第１のフィルタの１次コイルの内側端部と連結され、他端部が前記第２のフィルタの１次コイルの内側端部と連結される第１の接続導体と、
前記第１のフィルタの２次コイル及び前記第２のフィルタの２次コイルと異なる層に形成され、一端部がビアを介して前記第１のフィルタの２次コイルの内側端部と連結され、他端部が前記第２のフィルタの２次コイルの内側端部と連結される第２の接続導体と、
をさらに含む、請求項６から１０のいずれか１項に記載のコモンモードフィルタ。
【請求項１２】
前記第１のフィルタの１次コイル及び２次コイル並びに前記第２のフィルタの１次コイル及び２次コイルと前記第１の接続導体及び前記第２の接続導体を覆う絶縁層と、
前記絶縁層の上・下部に備えられた磁性部材と、
をさらに含む、請求項１１に記載のコモンモードフィルタ。
【請求項１３】
前記第１のフィルタの１次コイル、前記第１のフィルタの２次コイル、前記第２のフィルタの１次コイル及び前記第２のフィルタの２次コイルのそれぞれは複数の層に形成され、且つビアを介して層間接続されるコイルを含み、前記第１のフィルタ及び前記第２のフィルタの前記１次コイルと２次コイルは交互に配置される、請求項６から１２のいずれか１項に記載のコモンモードフィルタ。
【請求項１４】
いずれか一つの同一層に配置された前記第１のフィルタの１次コイルと前記第２のフィルタの１次コイルはそれぞれの外側端部から伸びる第１の接続パターンによって互いに直列に連結され、
いずれか一つの同一層に配置された前記第１のフィルタの２次コイルと前記第２のフィルタの２次コイルはそれぞれの外側端部から伸びる第２の接続パターンによって互いに直列に連結される、請求項１３に記載のコモンモードフィルタ。
【発明の詳細な説明】
【技術分野】
【０００１】
本発明は、コモンモードフィルタに関し、より詳細には、広帯域のノイズ除去が可能なコモンモードフィルタに関する。
【背景技術】
【０００２】
技術の発展に伴い、携帯電話、家電製品、ＰＣ、ＰＤＡ、ＬＣＤなどの電子機器がアナログ方式からデジタル方式に変化し、処理するデータ量の増加によって高速化している。
【０００３】
これに伴い、高速信号送信インターフェースとしてＵＳＢ２．０、ＵＳＢ３．０及び高精細度マルチメディアインターフェース（ｈｉｇｈ−ｄｅｆｉｎｉｔｉｏｎ  ｍｕｌｔｉｍｅｄｉａ  ｉｎｔｅｒｆａｃｅ；ＨＤＭＩ（登録商標））が広範囲に普及されており、現在、個人用コンピューター及びデジタル高画質テレビのような多くのデジタルデバイスに用いられている。
【０００４】
これらの高速インターフェースは、長い間一般に用いられていたシングルエンド（ｓｉｎｇｌｅ−ｅｎｄ）送信システムとは異なり、一対の信号ラインで位相が１８０度異なる信号を伝送する差動伝送システムを用いる。
【０００５】
このような差動伝送方式において高周波信号の位相がずれると、コモンモードノイズ成分が発生し、このノイズが放射されて周辺の通信素子などに影響を与える。このコモンモードノイズをフィルタリングするためのコイル部品としてコモンモードフィルタ（Ｃｏｍｍｏｎ  Ｍｏｄｅ  Ｆｉｌｔｅｒ）が広く用いられている。即ち、コモンモードノイズは、差動信号ラインで発生するノイズであり、コモンモードフィルタは、既存のフィルタでは除去できないコモンモードノイズを除去する。
【０００６】
したがって、コモンモードフィルタでは、できる限り広帯域にわたってノイズを除去することが有利である。しかしながら、二つのコイルを用いる既存のコモンモードフィルタでは、目標値によって設計した固有周波数帯域のノイズしか除去できず、広帯域にわたってノイズを除去することはできない。
【先行技術文献】
【特許文献】
【０００７】
【特許文献１】特開２０１０−１７７３８０号公報
【発明の概要】
【発明が解決しようとする課題】
【０００８】
本発明は、上述した問題を解決するためになされたものであり、互いに異なる共振周波数を有する二つのフィルタを直列に連結することにより広帯域にわたってノイズの減衰が可能なコモンモードフィルタを提供することを目的とする。
【課題を解決するための手段】
【０００９】
上記の目的を達成するためになされた本発明は、一実施形態として、それぞれ１次コイルと２次コイルの磁気結合からなり互いに直列に連結された第１のフィルタと第２のフィルタを含み、上記第１のフィルタの共振周波数ｆ１と上記第２のフィルタの共振周波数ｆ２が異なるコモンモードフィルタを提供する。
【００１０】
上記第１のフィルタと第２のフィルタは水平方向に配置され、上記第１のフィルタのインダクタンスＬ１と上記第２のフィルタのインダクタンスＬ２は異なる値を有し、これは、上記第１のフィルタの１次及び２次コイルのコイル巻数と上記第２のフィルタの１次及び２次コイルのコイル巻数を異なるように設定することによりなされる。
【００１１】
また、上記第１のフィルタのキャパシタンスＣ１と上記第２のフィルタのキャパシタンスＣ２は異なる値を有し、これは、上記第１のフィルタの１次コイルと上記第１のフィルタの２次コイルとの間の間隔ｄ１を上記第２のフィルタの１次コイルと上記第２のフィルタの２次コイルとの間の間隔ｄ２と異なるように設定することによりなされる。
【００１２】
上記の目的を達成するためになされた本発明は、他の実施形態として、水平方向に配置され互いに直列に連結された第１のフィルタの１次コイルと第２のフィルタの１次コイルと、水平方向に配置され互いに直列に連結され且つそれぞれ上記第１及び第２のフィルタの１次コイルと対向して配置された第１のフィルタの２次コイルと第２のフィルタの２次コイルと、を含み、上記第１及び第２のフィルタの１次及び２次コイルが複数の層で構成され、同一次数のコイルがビアを介して層間接続されるコモンモードフィルタを提供する。
【００１３】
いずれか一つの同一層に配置された上記第１のフィルタの１次コイルと上記第２のフィルタの１次コイルはそれぞれの外側端部から伸びる第１の接続パターンによって互いに直列に連結され、いずれか一つの同一層に配置された上記第１のフィルタの２次コイルと上記第２のフィルタの２次コイルはそれぞれの外側端部から伸びる第２の接続パターンによって互いに直列に連結されることができる。
【発明の効果】
【００１４】
本発明のコモンモードフィルタによれば、互いに異なる二つの共振周波数帯域で減衰特性を有し、その結果、広い周波数帯域のコモンモードノイズを除去することができる。
【図面の簡単な説明】
【００１５】
【図１】本発明によるコモンモードフィルタの外観斜視図である。
【図２】図１の透視斜視図である。
【図３】図２の平面図である。
【図４】図３のＩ−Ｉ'線に沿う断面図である。
【図５】本発明の等価回路図である。
【図６】本発明のＬＣ共振回路図である。
【図７】本発明に含まれた第１のフィルタの減衰特性グラフである。
【図８】本発明に含まれた第２のフィルタの減衰特性グラフである。
【図９】本発明に含まれた第１のフィルタと第２のフィルタとの直列連結による減衰特性グラフである。
【図１０】本発明の他の実施形態によるコモンモードフィルタの透視斜視図である。
【図１１】図１０のＩＩ−ＩＩ'線に沿う断面斜視図である。
【図１２】本発明に含まれた各層のコイルを層別に示した斜視図である。
【図１３】本発明に含まれた各層のコイルを層別に示した斜視図である。
【図１４】本発明に含まれた各層のコイルを層別に示した斜視図である。
【図１５】本発明に含まれた各層のコイルを層別に示した斜視図である。
【図１６】本発明に含まれた各層のコイルを層別に示した斜視図である。
【図１７】本発明に含まれた各層のコイルを層別に示した斜視図である。
【図１８】本発明に含まれた第１層及び第３層の１次コイルのみを示す斜視図である。
【図１９】本発明に含まれた第２層及び第４層の２次コイルのみを示す斜視図である。
【発明を実施するための形態】
【００１６】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００１７】
以下、添付の図面を参照して本発明の構成及び作用効果をより詳細に説明する。
【００１８】
図１は本発明の一実施形態によるコモンモードフィルタの外観斜視図であり、図２は図１の透視斜視図であり、図３は図２の平面図であり、図４は図３のＩ−Ｉ'線に沿う断面図である。
【００１９】
図１〜図４を参照すると、本発明の一実施形態によるコモンモードフィルタ１００は、互いに直列に連結された第１のフィルタ１１０と第２のフィルタ１２０を含む。
【００２０】
第１のフィルタ１１０と第２のフィルタ１２０は、特定周波数帯域のコモンモードノイズを除去するノイズフィルタであり、それぞれ磁気結合する１次コイル１１１、１２１と２次コイル１１２、１２２からなる。即ち、第１のフィルタ１１０は、磁気結合する１次コイル１１１と２次コイル１１２で構成され、第２のフィルタ１２０も、磁気結合する１次コイル１２１と２次コイル１２２で構成される。
【００２１】
各フィルタの１次及び２次コイル１１１、１２１、１１２、１２２は平面上に螺旋状に形成された金属配線であり、対称性のために、第１のフィルタ１１０の１次及び２次コイル１１１、１１２は同じコイル巻数で形成され、第２のフィルタ１２０の１次及び２次コイル１２１、１２２も同じコイル巻数で形成されている。
【００２２】
各フィルタの１次コイル１１１、１２１と２次コイル１１２、１２２は、所定の間隔をおいて上下に対向して配置される。これにより、本実施形態は、コイル巻数に比例するインダクタンス（Ｌ）と浮遊容量によって発生するキャパシタンス（Ｃ）が並列共振してコモンモードノイズを減衰させるコモンモードフィルタ（Ｃｏｍｍｏｎ  Ｍｏｄｅ  Ｆｉｌｔｅｒ）として動作する。
【００２３】
ここで、第１のフィルタ１１０の１次コイル１１１と第２のフィルタ１２０の１次コイル１２１は、物理的な接続手段によって互いに直列に連結され、第１のフィルタ１１０の２次コイル１１２と第２のフィルタ１２０の２次コイル１２２も、物理的な接続手段によって互いに直列に連結される。したがって、図５に示されている本実施形態の等価回路及び図６に示されている本実施形態のＬＣ共振回路のように、第１のフィルタ１１０と第２のフィルタ１２０は、電気的に直列に連結された構造を有する。
【００２４】
各フィルタの１次及び２次コイル１１１、１２１、１１２、１２２の連結構造をより具体的に説明すると、第１のフィルタ１１０の１次コイル１１１と第２のフィルタ１２０の１次コイル１２１は、同一層、例えば、第１層に水平方向に並んで形成され、第１のフィルタ１１０の２次コイル１１２と第２のフィルタ１２０の２次コイル１２２も、同一層、例えば、第２層に水平方向に並んで形成される。ここで、第１のフィルタ１１０の２次コイル１１２は、第１のフィルタ１１０の１次コイル１１１と対向して配置され、第２のフィルタ１２０の２次コイル１２２は、第２のフィルタ１２０の１次コイル１２１と対向して配置される。
【００２５】
また、第１のフィルタ１１０の１次コイル１１１と第２のフィルタ１２０の１次コイル１２１との電気的接続は、別の層、例えば、第３層に形成された第１の接続導体１３１を介してなされる。即ち、第１の接続導体１３１の両端はそれぞれビア１３１ａ、１３１ｂを介して第１のフィルタ１１０の１次コイル１１１及び第２のフィルタ１２０の１次コイル１２１に接続される。
【００２６】
ここで、第１のフィルタ１１０の１次コイル１１１と第２のフィルタ１２０の１次コイル１２１は、それぞれの内側端部１１１ａ、１２１ａにビア１３１ａ、１３１ｂが接続され、１次コイル１１１、１２１のそれぞれの外側端部１１１ｂ、１２１ｂは、信号入・出力端子として機能する外部端子と連結される。例えば、１次コイル１１１の外側端部１１１ｂは第１の入力端子１６１ａと連結され、１次コイル１２１の外側端部１２１ｂは第１の出力端子１６１ｂと連結される。
【００２７】
このような連結構造により、第１の入力端子１６１ａから入力された信号は、第１のフィルタ１１０の１次コイル１１１−ビア１３１ａ−第１の接続導体１３１−ビア１３１ｂ−第２のフィルタ１２０の１次コイル１２１につながる電気的経路を経て第１の出力端子１６１ｂに出力される。
【００２８】
第１のフィルタ１１０の２次コイル１１２と第２のフィルタ１２０の２次コイル１２２との直列連結も、上記のような方式でなされる。例えば、第３層に形成された第２の接続導体１３２の両端はそれぞれビア１３２ａ、１３２ｂを介して２次コイル１１２の内側端部１１２ａ及び２次コイル１２２の内側端部１２２ａと連結され、２次コイル１１２の外側端部１１２ｂは第２の入力端子１６２ａと連結され、２次コイル１２２の外側端部１２２ｂは第２の出力端子１６２ｂと連結される。
【００２９】
このような連結構造により、第２の入力端子１６２ａから入力された信号は、第１のフィルタ１１０の２次コイル１１２−ビア１３２ａ−第２の接続導体１３２−ビア１３２ｂ−第２のフィルタ１２０の２次コイル１２２につながる電気的経路を経て第２の出力端子１６２ｂに出力される。
【００３０】
本実施形態によるコモンモードフィルタ１００は、各フィルタの同一次数のコイルが水平に配置されることにより、電流印加の際に第１のフィルタ１１０の周りに発生する磁束ｍ１（図４）と第２のフィルタ１２０の周りに発生する磁束ｍ２とが重ならず、その結果、第１のフィルタ１１０の共振周波数ｆ１と第２のフィルタ１２０の共振周波数ｆ２が分離されて現れる。
【００３１】
図７は第１のフィルタ１１０の減衰特性グラフであり、図８は第２のフィルタ１２０の減衰特性グラフであり、図９は第１のフィルタ１１０と第２のフィルタ１２０との直列連結による減衰特性グラフである。
【００３２】
第１のフィルタ１１０の共振周波数ｆ１と第２のフィルタ１２０の共振周波数ｆ２が分離されるとは、図７の減衰特性と図８の減衰特性が合わされて現れることを意味する。本実施形態では、図９に示されているように、第１のフィルタ１１０のノッチ帯域（ｎｏｔｃｈ  ｂａｎｄ）と第２のフィルタ１２０のノッチ帯域が全て現れる。したがって、第１のフィルタ１１０と第２のフィルタ１２０の共振周波数、即ち、減衰比が最大となる周波数を異なるように設定する場合、広帯域にわたるノイズの減衰が可能である。
【００３３】
第１のフィルタ１１０の共振周波数ｆ１と上記第２のフィルタ１２０の共振周波数ｆ２を異なるように設定することは、図６に示されている第１のフィルタ１１０のインダクタンスＬ１と第２のフィルタ１２０のインダクタンスＬ２を異ならせるか、又は第１のフィルタ１１０のキャパシタンスＣ１と第２のフィルタ１２０のキャパシタンスＣ２を異ならせることにより達成されることができる。
【００３４】
第１のフィルタ１１０の共振周波数ｆ１は下記数式１によって決定され、第２のフィルタ１２０の共振周波数ｆ２は下記数式２によって決定されるため、Ｌ１≠Ｌ２とＣ１≠Ｃ２の条件の全てを満たすかいずれか一つのみを満たしても第１のフィルタ１１０と第２のフィルタ１２０の共振周波数を異なるように設定することができる。
【００３５】
［数式１］
2016178278.tif 000003
【００３６】
［数式２］
2016178278.tif 000004
【００３７】
各フィルタのインダクタンスは、各フィルタに含まれた１次及び２次コイル１１１、１２１、１１２、１２２のコイル巻数を可変することにより調整されることができる。例えば、図３に示されているように、第１のフィルタ１１０の１次及び２次コイル１１１、１１２のコイル巻数が５、第２のフィルタ１２０の１次及び２次コイル１２１、１２２のコイル巻数が３の場合、第１のフィルタ１１０のインダクタンスＬ１と第２のフィルタ１２０のインダクタンスＬ２は異なる値を有し、その結果、第１のフィルタ１１０の共振周波数ｆ１と第２のフィルタ１２０の共振周波数ｆ２は異なるように設定される。
【００３８】
また、各フィルタのキャパシタンスは、各フィルタに含まれた１次コイル１１１、１２１と２次コイル１１２、１２２との間の間隔を可変とすることにより調整されることができる。浮遊容量は二つの金属間の距離に反比例するため、例えば、図４に示されているように第１のフィルタ１１０の１次コイル１１１と２次コイル１１２との間の間隔ｄ１と、第２のフィルタ１２０の１次コイル１２１と２次コイル１２２との間の間隔ｄ２が異なる場合、第１のフィルタ１１０のキャパシタンスＣ１と第２のフィルタ１２０のキャパシタンスＣ２は異なる値を有し、その結果、第１のフィルタ１１０の共振周波数ｆ１と第２のフィルタ１２０の共振周波数ｆ２は異なるように設定される。
【００３９】
以上、説明の便宜のために内部構造についてのみ説明したが、第１及び第２のフィルタ１１０、１２０の１次及び２次コイル１１１、１２１、１１２、１２２と第１及び第２の接続導体１３１、１３２は、配線間の絶縁性の確保及び湿気や熱などの外部要素からの保護のために、エポキシ樹脂、フェノール樹脂、ウレタン樹脂、シリコン樹脂、ポリイミド樹脂などの高分子物質からなる絶縁層１４０に覆われる形で備えられることができる。
【００４０】
より具体的には、基底層となる第１の絶縁層が底面にコーティングされると、その上に第１のフィルタ１１０の１次コイル１１１と第２のフィルタ１２０の１次コイル１２１が水平方向に並んで形成され、これをカバーするように第２の絶縁層がコーティングされる。次に、第２の絶縁層上に第１のフィルタ１１０の２次コイル１１２と第２のフィルタ１２０の２次コイル１２２がそれぞれ第１のフィルタ１１０の１次コイル１１１と第２のフィルタ１２０の１次コイル１２１に対向して形成される。次に、２次コイル１１２、１２２をカバーするように第３の絶縁層がコーティングされると、その上に第１及び第２の接続導体１３１、１３２が適切な位置に形成され、このように積層された各層の絶縁層を所定の条件下で圧着・焼成すると、１次及び２次コイル１１１、１２１、１１２、１２２と第１及び第２の接続導体１３１、１３２を含む絶縁層１４０が完成される。
【００４１】
また、高い透磁率を確保するために、上記絶縁層１４０の上・下部に、磁束の移動通路となる磁性部材１５０をさらに備えることができる。これにより、電流印加の際に第１及び第２のフィルタ１１０、１２０の周りに発生する磁束が上・下部の磁性部材１５０を経由して閉磁路を形成し、その結果、高い透磁率を実現することができる。
【００４２】
磁性部材１５０の構成材料としては、所定のインダクタンスが得られる任意の磁性材料、例えば、Ｎｉ系、Ｎｉ−Ｚｎ系、Ｎｉ−Ｚｎ−Ｃｕ系フェライトなどを用いることができる。ここで、透磁率及び機械的強度を高くするために上記材料の磁性粉末を一定の条件で焼結させるか又は磁性粉末に流動性の樹脂を含浸させることにより、耐衝撃性に優れた磁性−樹脂複合体の形で磁性部材１５０を形成することもできる。
【００４３】
このように、本実施形態によるコモンモードフィルタ１００は、絶縁層１４０と絶縁層１４０の上・下部に積層された磁性部材１５０が基本構成となる積層体として実現され、第１及び第２の入・出力端子１６１ａ、１６１ｂ、１６２ａ、１６２ｂは、積層体の側面に露出した各コイルの外側端部１１１ｂ、１２１ｂ、１１２ｂ、１２２ｂと接続されるように設置される。
【００４４】
以下、本発明の他の実施形態によるコモンモードフィルタを説明する。
【００４５】
図１０は本発明の他の実施形態によるコモンモードフィルタの透視斜視図であり、図１１は図１０のＩＩ−ＩＩ'線に沿う断面斜視図である。
【００４６】
図１０及び図１１を参照すると、本実施形態では、各フィルタに含まれた１次及び２次コイルが複数の層で構成される。即ち、第１のフィルタ１１０において、１次コイルは、第１層に位置する１次コイル１１１と第３層に位置する１次コイル１１３で構成され、２次コイルは、第２層に位置する２次コイル１１２と第４層に位置する２次コイル１１４で構成される。これと同様に、第２のフィルタ１２０において、１次コイルは、第１層に位置する１次コイル１２１と第３層に位置する１次コイル１２３で構成され、２次コイルは、第２層に位置する２次コイル１２２と第４層に位置する２次コイル１２４で構成される。
【００４７】
このように、本実施形態において各フィルタを構成する１次及び２次コイル１１１、１１３、１２１、１２３、１１２、１１４、１２２、１２４は複数の層で構成され且つ各層の１次コイル１１１、１１３、１２１、１２３と２次コイル１１２、１１４、１２２、１２４は交互に配置され、同一次数のコイル同士はビアを介して層間接続される。
【００４８】
より明確な理解のために、各層のコイルを層別に示した図１２〜図１７を参照して説明する。
【００４９】
まず、第１層に第１のフィルタ１１０の１次コイル１１１と第２のフィルタ１２０の１次コイル１２１が水平方向に並んで形成され（図１２）、第２層に第１のフィルタ１１０の２次コイル１１２と第２のフィルタ１２０の２次コイル１２２が１次コイル１１１、１２１に対向して形成される（図１３）。
【００５０】
その後、層間接続のためのビア１３３ａ、１３３ｂが、１次コイル１１１、１２１のそれぞれの内側端部に対応する位置に形成され（図１４）、第２層を貫通して第３層に形成される各フィルタの１次コイル１１３、１２３と連結される（図１５）。即ち、第１層に形成された第１のフィルタ１１０の１次コイル１１１は、ビア１３３ａを介して第３層に形成された第１のフィルタ１１０の１次コイル１１３と連結され、第１層に形成された第２のフィルタ１２０の１次コイル１２１は、ビア１３３ｂを介して第３層に形成された第２のフィルタ１２０の１次コイル１２３と連結される。
【００５１】
次に、第２層に形成された２次コイル１１２、１２２のそれぞれの内側端部に接続されるビア１３４ａ、１３４ｂが第３層を貫通するように形成される（図１６）。これにより、第４層に形成された第１のフィルタ１１０の２次コイル１１４は、ビア１３４ａを介して第２層に形成された第１のフィルタ１１０の２次コイル１１２と連結され、第４層に形成された第２のフィルタ１２０の２次コイル１２４は、ビア１３４ｂを介して第２層に形成された第２のフィルタ１２０の２次コイル１２２と連結される（図１７）。
【００５２】
本実施形態において、第１のフィルタ１１０と第２のフィルタ１２０との直列連結は、いずれか一つの同一層に形成された同一次数のコイル間の物理的連結によってなされる。例えば、第３層に形成された第１のフィルタ１１０の１次コイル１１３と第２のフィルタ１２０の１次コイル１２３とが連結され、第４層に形成された第１のフィルタ１１０の２次コイル１１４と第２のフィルタ１２０の２次コイル１２４とが連結される。
【００５３】
ここで、同一次数のコイル間の物理的連結は、各コイルの外側端部が伸びることによりなされる。例えば、第１のフィルタ１１０の１次コイル１１３と第２のフィルタ１２０の１次コイル１２３との連結は、各コイルの外側端部から伸びる第１の接続パターン１３３（図１５）を介してなされる。これと同様に、第１のフィルタ１１０の２次コイル１１４と第２のフィルタ１２０の２次コイル１２４との連結は、各コイルの外側端部から伸びる第２の接続パターン１３４（図１７）を介してなされる。
【００５４】
図１８は、第１層、第３層に形成された１次コイル１１１、１１３、１２１、１２３のみを示す図である。これを参照すると、１次コイルに対して入力された信号は、第１のフィルタ１１０の１次コイル１１１−ビア１３３ａ−第１のフィルタ１１０の１次コイル１１３−第１の接続パターン１３３−第２のフィルタ１２０の１次コイル１２３−ビア１３３ｂ−第２のフィルタ１２０の１次コイル１２１につながる電気的経路を経て外部に出力される。
【００５５】
図１９は、第２層及び第４層に形成された２次コイル１１２、１１４、１２２、１２４のみを示す図である。これを参照すると、２次コイルに対して入力された信号は、第１のフィルタ１１０の２次コイル１１２−ビア１３４ａ−第１のフィルタ１１０の２次コイル１１４−第２の接続パターン１３４−第２のフィルタ１２０の２次コイル１２４−ビア１３４ｂ−第２のフィルタ１２０の２次コイル１２２につながる電気的経路を経て外部に出力される。
【００５６】
このように、本実施形態では、各フィルタの１次及び２次コイル１１１、１１３、１２１、１２３、１１２、１１４、１２２、１２４が複数の層で構成されることにより、コイル巻数による共振周波数の可変範囲がより広くなり、その結果、より広帯域のノイズの減衰が可能である。
【００５７】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００５８】
１００  コモンモードフィルタ
１１０  第１のフィルタ
１２０  第２のフィルタ
１１１、１１３、１２１、１２３  １次コイル
１１２、１１４、１２２、１２４  ２次コイル
１３１  第１の接続導体
１３２  第２の接続導体
１３３  第１の接続パターン
１３４  第２の接続パターン
１４０  絶縁層
１５０  磁性部材
１６１ａ  第１の入力端子
１６１ｂ  第１の出力端子
１６２ａ  第２の入力端子
１６２ｂ  第２の出力端子
【図１】
2016178278.tif 000005
【図２】
2016178278.tif 000006
【図３】
2016178278.tif 000007
【図４】
2016178278.tif 000008
【図５】
2016178278.tif 000009
【図６】
2016178278.tif 000010
【図７】
2016178278.tif 000011
【図８】
2016178278.tif 000012
【図９】
2016178278.tif 000013
【図１０】
2016178278.tif 000014
【図１１】
2016178278.tif 000015
【図１２】
2016178278.tif 000016
【図１３】
2016178278.tif 000017
【図１４】
2016178278.tif 000018
【図１５】
2016178278.tif 000019
【図１６】
2016178278.tif 000020
【図１７】
2016178278.tif 000021
【図１８】
2016178278.tif 000022
【図１９】
2016178278.tif 000023